【手続補正書】
【提出日】平成16年2月9日(2004.2.9)
【手続補正１】
【補正対象書類名】明細書
【補正対象項目名】特許請求の範囲
【補正方法】変更
【補正の内容】
【特許請求の範囲】
【請求項１】
シートの少なくとも片面にレンチキュラーレンズが並んだレンズ面が設けられているレンチキュラーレンズシートの非レンズ面に、一様な厚みで遮光性および光吸収性を有する層を形成した後、前記レンズ面側より、平行光を照射することにより、前記非レンズ面の前記の各レンチキュラーレンズの集光部において、前記遮光性および光吸収性を有する層の溶融、昇華、燃焼、爆融もしくは削摩により除去して、前記非レンズ面の非集光部に、遮光帯を形成することを特徴とする遮光帯を有するレンチキュラーレンズシートの製造方法。
【請求項２】
前記の遮光性および光吸収性を有する層の形成を、光吸収性を有する光吸収性層を形成し、その後、遮光性を有する遮光性層を形成することにより行なうことを特徴とする請求項１記載のレンチキュラーレンズシートの製造方法。
【請求項３】
前記の遮光性および光吸収性を有する層として、カーボンブラックを含有するニトロセルロース樹脂層を形成することを特徴とする請求項１記載のレンチキュラーレンズシートの製造方法。
【請求項４】
前記の遮光性および光吸収性層を有する層の厚みが０．１〜５μｍであることを特徴とする請求項１〜３いずれか記載のレンチキュラーレンズシートの製造方法。
【請求項５】
前記レンチキュラーレンズシートとして、透明基材シート上に積層された透明樹脂層を前記レンズ面の逆型形状を有する付型用型を用いた成形により得たものを使用することを特徴とする請求項１〜４いずれか記載のレンチキュラーレンズシートの製造方法。
【請求項６】
前記レンチキュラーレンズのピッチが５０μｍ〜３００μｍであることを特徴とする請求項１〜５いずれか記載のレンチキュラーレンズシートの製造方法。
【請求項７】
前記遮光帯の幅が、前記レンチキュラーレンズのピッチをｐとするとき、０．３ｐ〜０．９ｐであることを特徴とする請求項１〜６いずれか記載のレンチキュラーレンズシートの製造方法。
【請求項８】
前記平行光を、前記レンチキュラーレンズシートに垂直な方向から照射することを特徴とする請求項１〜７いずれか記載のレンチキュラーレンズシートの製造方法。
【請求項９】
前記平行光を、前記レンチキュラーレンズシートに垂直な方向より傾けた方向から照射することを特徴とする請求項１〜７いずれか記載のレンチキュラーレンズシートの製造方法。
【請求項１０】
前記平行光を、前記レンチキュラーレンズシートの各々のレンチキュラーレンズに対し、互いに異なる二以上の方向から照射することを特徴とする請求項１〜７いずれか記載のレンチキュラーレンズシートの製造方法。
【請求項１１】
前記平行光を、前記レンチキュラーレンズシートの前記各レンチキュラーレンズが並んだ一方の端から順次、他端に向かうよう、前記平行光および前記レンチキュラーレンズシートとを相対的に移動させながら照射することを特徴とする請求項１〜１０いずれか記載のレンチキュラーレンズシートの製造方法。
【請求項１２】
前記平行光がレーザー光であり、固体レーザ、気体レーザー、液体レーザー、半導体レーザーのいずれかから放射される光を使用することを特徴とする請求項１〜１１いずれか記載のレンチキュラーレンズシートの製造方法。
【請求項１３】
前記遮光性および光吸収性を有する層が、カーボンブラック、アクリジン、ポリアミック酸とローダミンＧ、ＫｒＦエキシマレーザー用色素、カルボキシル基又はスルホン酸基で置換されたポリピロール、ポリチオフェン、ポリアニリン、４［（２−ヒドロキシエチル）エチルアミノ］−４’−（ニトロフェニル）アゾベンゼン、１−（ジメチルアミノ）−ピレン等のピレン、７−（ジメチルアミノ）−４−メチルクマリン等のクマリン、４［（２−ヒドロキシエチル）エチルアミノ］−４’−（トリフルオロメチルスルフォニル）トラン、もしくは７−ヒドロキシ−４−メチル−２Ｈ−１−ベンゾピレン−２−オン、第３アミン官能基を有しアクリル重合体の酸性水素と第４級アンモニウム塩を生成する光吸収剤、金属ホウ素化物、金属カーバイド、金属窒化物、炭素窒化物、もしくはブロンズ構造の酸化物から選ばれた物質の一種もしくは二種以上を含有することを特徴とする請求項１、２、４〜１２いずれか記載のレンチキュラーレンズシートの製造方法。
【請求項１４】
シートの少なくとも片面にレンチキュラーレンズが並んだレンズ面が設けられているレンチキュラーレンズシートの非レンズ面の非集光部に遮光帯が積層されており、前記遮光帯は、バインダ成分、遮光性物質および光吸収性物質、もしくは遮光性物質および光吸収性物質の両方の物質の性質を兼ね備える物質とからなる樹脂組成物からなることを特徴とするレンチキュラーレンズシート。
【請求項１５】
前記樹脂組成物が、カーボンブラックを含有するニトロセルロース樹脂層であることを特徴とする請求項１４記載のレンチキュラーレンズシート。
【請求項１６】
前記樹脂組成物が、カーボンブラック、アクリジン、ポリアミック酸とローダミンＧ、ＫｒＦエキシマレーザー用色素、カルボキシル基又はスルホン酸基で置換されたポリピロール、ポリチオフェン、ポリアニリン、４［（２−ヒドロキシエチル）エチルアミノ］−４’−（ニトロフェニル）アゾベンゼン、１−（ジメチルアミノ）−ピレン等のピレン、７−（ジメチルアミノ）−４−メチルクマリン等のクマリン、４［（２−ヒドロキシエチル）エチルアミノ］−４’−（トリフルオロメチルスルフォニル）トラン、もしくは７−ヒドロキシ−４−メチル−２Ｈ−１−ベンゾピレン−２−オン、第３アミン官能基を有し、アクリル重合体の酸性水素と第４級アンモニウム塩を生成する光吸収剤、金属ホウ素化物、金属カーバイド、金属窒化物、炭素窒化物、もしくはブロンズ構造の酸化物から選ばれた物質の一種もしくは二種以上を含有することを特徴とする請求項１４記載のレンチキュラーレンズシート。
【請求項１７】
請求項１４〜１６いずれか記載のレンチキュラーレンズシートの前記遮光帯が積層されている側を観察側とし、前記遮光帯が積層されていない側を投映側とするとき、前記投映側に、投映光の出射時の広がりを制御するレンズシートが組み合わされていることを特徴とする背面投映用スクリーン。
【請求項１８】
投映光の出射時の広がりを制御する前記レンズシートが、サーキュラーフレネル凸レンズであることを特徴とする請求項１７記載の背面投映用スクリーン。
【手続補正２】
【補正対象書類名】明細書
【補正対象項目名】００１４
【補正方法】変更
【補正の内容】
【００１４】
第１の発明は、シートの少なくとも片面にレンチキュラーレンズが並んだレンズ面が設けられているレンチキュラーレンズシートの非レンズ面に、一様な厚みで遮光性および光吸収性を有する層を形成した後、前記レンズ面側より、平行光を照射することにより、前記非レンズ面の前記の各レンチキュラーレンズの集光部において、前記遮光性および光吸収性を有する層の溶融、昇華、燃焼、爆融もしくは削摩により除去して、前記非レンズ面の非集光部に、遮光帯を形成することを特徴とする遮光帯を有するレンチキュラーレンズシートの製造方法に関するものである。第２の発明は、第１の発明において、前記の遮光性および光吸収性を有する層の形成を、光吸収性を有する光吸収性層を形成し、その後、遮光性を有する遮光性層を形成することにより行なうことを特徴とするレンチキュラーレンズシートの製造方法に関するものである。第３の発明は、第１の発明において、前記の遮光性および光吸収性を有する層として、カーボンブラックを含有するニトロセルロース樹脂層を形成することを特徴とするレンチキュラーレンズシートの製造方法に関するものである。第４の発明は、第１〜第３いずれかの発明において、前記の遮光性および光吸収性層を有する層の厚みが０．１〜５μｍであることを特徴とするレンチキュラーレンズシートの製造方法に関するものである。第５の発明は、第１〜第４いずれかの発明において、前記レンチキュラーレンズシートとして、透明基材シート上に積層された透明樹脂層を前記レンズ面の逆型形状を有する付型用型を用いた成形により得たものを使用することを特徴とする請求項１〜４いずれか記載のレンチキュラーレンズシートの製造方法に関するものである。第６の発明は、第１〜第５いずれかの発明において、前記レンチキュラーレンズのピッチが５０μｍ〜３００μｍであることを特徴とする請求項１〜５いずれか記載のレンチキュラーレンズシートの製造方法に関するものである。第７の発明は、第１〜第６いずれかの発明において、前記遮光帯の幅が、前記レンチキュラーレンズのピッチをｐとするとき、０．３ｐ〜０．９ｐであることを特徴とするレンチキュラーレンズシートの製造方法に関するものである。第８の発明は、第１〜第７いずれの発明において、前記平行光を、前記レンチキュラーレンズシートに垂直な方向から照射することを特徴とするレンチキュラーレンズシートの製造方法に関するものである。第９の発明は、第１〜第７いずれかの発明において、前記平行光を、前記レンチキュラーレンズシートに垂直な方向より傾けた方向から照射することを特徴とするレンチキュラーレンズシートの製造方法に関するものである。第１０の発明は、第１〜第７いずれかの発明において、前記平行光を、前記レンチキュラーレンズシートの各々のレンチキュラーレンズに対し、互いに異なる二以上の方向から照射することを特徴とするレンチキュラーレンズシートの製造方法に関するものである。第１１の発明は、第１〜第１０いずれかの発明において、前記平行光を、前記レンチキュラーレンズシートの前記各レンチキュラーレンズが並んだ一方の端から順次、他端に向かうよう、前記平行光および前記レンチキュラーレンズシートとを相対的に移動させながら照射することを特徴とするいずれか記載のレンチキュラーレンズシートの製造方法に関するものである。第１２の発明は、第１〜第１１いずれかの発明において、前記平行光がレーザー光であり、固体レーザ、気体レーザー、液体レーザー、半導体レーザーのいずれかから放射される光を使用することを特徴とするレンチキュラーレンズシートの製造方法に関するものである。第１３の発明は、第１、第２、第４〜第１２いずれかの発明において、前記遮光性および光吸収性を有する層が、カーボンブラック、アクリジン、ポリアミック酸とローダミンＧ、ＫｒＦエキシマレーザー用色素、カルボキシル基又はスルホン酸基で置換されたポリピロール、ポリチオフェン、ポリアニリン、４［（２−ヒドロキシエチル）エチルアミノ］−４’−（ニトロフェニル）アゾベンゼン、１−（ジメチルアミノ）−ピレン等のピレン、７−（ジメチルアミノ）−４−メチルクマリン等のクマリン、４［（２−ヒドロキシエチル）エチルアミノ］−４’−（トリフルオロメチルスルフォニル）トラン、もしくは７−ヒドロキシ−４−メチル−２Ｈ−１−ベンゾピレン−２−オン、第３アミン官能基を有しアクリル重合体の酸性水素と第４級アンモニウム塩を生成する光吸収剤、金属ホウ素化物、金属カーバイド、金属窒化物、炭素窒化物、もしくはブロンズ構造の酸化物から選ばれた物質を含有することを特徴とするレンチキュラーレンズシートの製造方法に関するものである。第１４の発明は、シートの少なくとも片面にレンチキュラーレンズが並んだレンズ面が設けられているレンチキュラーレンズシートの非レンズ面の非集光部に遮光帯が積層されており、前記遮光帯は、バインダ成分、遮光性物質および光吸収性物質、もしくは遮光性物質および光吸収性物質の両方の物質の性質を兼ね備える物質とからなる樹脂組成物からなることを特徴とするレンチキュラーレンズシートに関するものである。第１５の発明は、第１４の発明において、前記樹脂組成物が、カーボンブラックを含有するニトロセルロース樹脂層であることを特徴とするレンチキュラーレンズシートに関するものである。第１６の発明は、第１４の発明の発明において、前記樹脂組成物が、アクリジン、ポリアミック酸とローダミンＧ、ＫｒＦエキシマレーザー用色素、カルボキシル基又はスルホン酸基で置換されたポリピロール、ポリチオフェン、ポリアニリン、４［（２−ヒドロキシエチル）エチルアミノ］−４’−（ニトロフェニル）アゾベンゼン、１−（ジメチルアミノ）−ピレン等のピレン、７−（ジメチルアミノ）−４−メチルクマリン等のクマリン、４［（２−ヒドロキシエチル）エチルアミノ］−４’−（トリフルオロメチルスルフォニル）トラン、もしくは７−ヒドロキシ−４−メチル−２Ｈ−１−ベンゾピレン−２−オン、第３アミン官能基を有し、アクリル重合体の酸性水素と第４級アンモニウム塩を生成する光吸収剤、金属ホウ素化物、金属カーバイド、金属窒化物、炭素窒化物、もしくはブロンズ構造の酸化物から選ばれた物質を含有することを特徴とするレンチキュラーレンズシートに関するものである。第１７の発明は、請求項１４〜１６いずれか記載のレンチキュラーレンズシートの前記遮光帯が積層されている側を観察側とし、前記遮光帯が積層されていない側を投映側とするとき、前記投映側に、投映光の出射時の広がりを制御するレンズシートが組み合わされていることを特徴とする背面投映用スクリーンに関するものである。第１８の発明は、第１７の発明において、投映光の出射時の広がりを制御する前記レンズシートが、サーキュラーフレネル凸レンズであることを特徴とする請求項１７記載の背面投映用スクリーンに関するものである。